【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
ビデオデータを符号化する方法であって、
ビットストリーム中の複数のピクチャを受信することと、前記複数のピクチャは現在のピクチャと１つまたは複数の参照ピクチャとを含み、
前記１つまたは複数の参照ピクチャに少なくとも部分的に基づいて、前記現在のピクチャのための参照ピクチャセット（ＲＰＳ）を決定することと、
前記ＲＰＳ中の前記１つまたは複数の参照ピクチャの各参照ピクチャのピクチャ順序カウント（ＰＯＣ）値を決定することと、
前記ＲＰＳ内で、長期参照ピクチャの数と短期参照ピクチャの数とのうちの少なくとも１つを識別することと、
前記ＲＰＳ中の長期ピクチャの数と短期ピクチャの前記数とを制約することと、前記制約は、ビデオパラメータセット（ＶＰＳ）拡張が使用中である場合、前記ＰＯＣ値および最大復号ピクチャバッファサイズ−１に基づき、
前記複数のピクチャがビデオデータのベースレイヤを備える場合、ネガティブピクチャの数と、ポジティブピクチャの数と、アクティブシーケンスパラメータセット（ＳＰＳ）において指定された候補長期参照ピクチャに基づいて導出される長期ピクチャの数と、前記現在のピクチャのスライスヘッダ中で直接シグナリングされる長期ピクチャの数との和を、前記アクティブＳＰＳにおいて識別される最大復号ピクチャバッファサイズ−１よりも小さいかまたはそれに等しい値に制約することと、
前記制約に基づいて前記ＲＰＳを識別する少なくとも１つのシンタックス要素を生成することと、
前記ＲＰＳと前記少なくとも１つのシンタックス要素とに基づいて前記現在のピクチャを符号化することと、
を備える方法。
【請求項２】
前記ＶＰＳ拡張が使用中である場合、
ネガティブピクチャの数と、ポジティブピクチャの数と、アクティブシーケンスパラメータセット（ＳＰＳ）において指定された候補長期参照ピクチャに基づいて導出される長期ピクチャの数と、前記現在のピクチャのスライスヘッダ中で直接シグナリングされる長期参照ピクチャの数との和を、最大復号ピクチャバッファサイズ−１よりも小さいかまたはそれに等しい値に制約すること、
をさらに備える、請求項１に記載の方法。
【請求項３】
前記ビットストリーム中に少なくとも１つの非ベースレイヤがある場合、前記ＶＰＳ拡張は使用中である、請求項２に記載の方法。
【請求項４】
前記ＶＰＳ拡張が使用中である場合、ネガティブピクチャの数を、両端値を含む、０と前記最大復号ピクチャバッファサイズ−１との間の値に制約することをさらに備え、前記数のネガティブピクチャの各ネガティブピクチャは、前記現在のピクチャのＰＯＣ値よりも小さいＰＯＣ値を有する、
請求項１に記載の方法。
【請求項５】
前記ＶＰＳ拡張が使用中である場合、ポジティブピクチャの数を、両端値を含む、０と前記最大復号ピクチャバッファサイズ−１との間の値−ネガティブピクチャの数に制約することをさらに備え、前記数のポジティブピクチャは、前記現在のピクチャの前記ＰＯＣ値よりも大きいＰＯＣ値を有し、前記数のネガティブピクチャは、前記現在のピクチャのＰＯＣ値よりも小さいＰＯＣ値を有する、
請求項１に記載の方法。
【請求項６】
ビデオデータを符号化するためのデバイスであって、
ビットストリームから取得された複数のピクチャを記憶するように構成されたメモリと、前記複数のピクチャは現在のピクチャと１つまたは複数の参照ピクチャとを含み、
前記メモリに動作可能に結合された少なくとも１つのプロセッサと、を備え、
前記少なくとも１つのプロセッサは、
前記１つまたは複数の参照ピクチャに少なくとも部分的に基づいて、前記現在のピクチャのための参照ピクチャセット（ＲＰＳ）を決定することと、
前記ＲＰＳ中の前記１つまたは複数の参照ピクチャの各参照ピクチャのピクチャ順序カウント（ＰＯＣ）値を決定することと、
前記ＲＰＳ内で、長期参照ピクチャの数と短期参照ピクチャの数とのうちの少なくとも１つを識別することと、
前記ＲＰＳ中の長期ピクチャの前記数と短期ピクチャの前記数とに制約を適用することと、前記制約は、ビデオシーケンスパラメータ（ＶＰＳ）拡張が使用中である場合、前記ＰＯＣ値および最大復号ピクチャバッファサイズ−１に基づき、
前記複数のピクチャがビデオデータのベースレイヤを備える場合、ネガティブピクチャの数と、ポジティブピクチャの数と、アクティブシーケンスパラメータセット（ＳＰＳ）において指定された候補長期参照ピクチャに基づいて導出される長期ピクチャの数と、前記現在のピクチャのスライスヘッダ中で直接シグナリングされる長期ピクチャの数との和を、前記アクティブＳＰＳにおいて識別される最大復号ピクチャバッファサイズ−１よりも小さいかまたはそれに等しい値に制約することと、
前記制約に基づいて前記ＲＰＳを識別する少なくとも１つのシンタックス要素を生成することと、
前記ＲＰＳと前記少なくとも１つのシンタックス要素とに基づいて前記現在のピクチャを符号化することと、
を行うように構成された、デバイス。
【請求項７】
前記プロセッサは、
前記ＶＰＳ拡張が使用中である場合、ネガティブピクチャの数と、ポジティブピクチャの数と、アクティブシーケンスパラメータセット（ＳＰＳ）において指定された候補長期参照ピクチャに基づいて導出される長期ピクチャの数と、前記現在のピクチャのスライスヘッダ中で直接シグナリングされる長期参照ピクチャの数との和を、前記最大復号ピクチャバッファサイズ−１よりも小さいかまたはそれに等しい値に制約する
ようにさらに構成された、請求項６に記載のデバイス。
【請求項８】
前記ビットストリーム中に少なくとも１つの非ベースレイヤがある場合、前記ＶＰＳ拡張は使用中である、請求項７に記載のデバイス。
【請求項９】
前記ＶＰＳ拡張が使用中である場合、ネガティブピクチャの数を、両端値を含む、０と前記最大復号ピクチャバッファサイズ−１との間の値に制約することをさらに備え、前記数のネガティブピクチャの各ネガティブピクチャは、前記現在のピクチャのＰＯＣ値よりも小さいＰＯＣ値を有する、
請求項６に記載のデバイス。
【請求項１０】
前記ＶＰＳ拡張が使用中である場合、ポジティブピクチャの数を、両端値を含む、０と前記最大復号ピクチャバッファサイズ−１との間の値−ネガティブピクチャの数に制約することをさらに備え、前記数のポジティブピクチャは、前記現在のピクチャの前記ＰＯＣ値よりも大きいＰＯＣ値を有し、前記数のネガティブピクチャは、前記現在のピクチャのＰＯＣ値よりも小さいＰＯＣ値を有する、
請求項６に記載のデバイス。
【請求項１１】
ビデオデータを復号するための方法であって、
ビットストリームから、現在のピクチャのピクチャ順序カウント（ＰＯＣ）と１つまたは複数の参照ピクチャのためのＰＯＣ値とを取得することと、
前記現在のピクチャの前記ＰＯＣ値と前記１つまたは複数の参照ピクチャの前記ＰＯＣ値とに基づいて、前記１つまたは複数の参照ピクチャを有する参照ピクチャセット（ＲＰＳ）を決定することと、
前記ＲＰＳ中の前記１つまたは複数の参照ピクチャを、いくつかの数の長期ピクチャといくつかの数の短期ピクチャとのうちの少なくとも１つとして識別することと、前記長期ピクチャの数と前記短期ピクチャの数とは制約に基づき、前記制約は、ビデオパラメータセット（ＶＰＳ）拡張が使用中である場合、前記ＰＯＣ値および最大復号ピクチャバッファサイズ−１に基づき、
前記現在のピクチャがベースレイヤ中にある場合、ネガティブピクチャの数と、ポジティブピクチャの数と、アクティブシーケンスパラメータセット（ＳＰＳ）において指定された候補長期参照ピクチャに基づいて導出される長期ピクチャの数と、前記現在のピクチャのスライスヘッダ中で直接シグナリングされる長期ピクチャの数との和は、前記アクティブＳＰＳにおいて識別される最大復号ピクチャバッファサイズ−１よりも小さいかまたはそれに等しい値に制約され、
前記ＲＰＳに基づいて前記現在のピクチャを復号することと、
を備える方法。
【請求項１２】
前記ＶＰＳ拡張が使用中である場合、ネガティブピクチャの数と、ポジティブピクチャの数と、アクティブシーケンスパラメータセット（ＳＰＳ）において指定された候補長期参照ピクチャに基づいて導出される長期ピクチャの数と、前記現在のピクチャのスライスヘッダ中で直接シグナリングされる長期参照ピクチャの数との和は、最大復号ピクチャバッファサイズ−１よりも小さいかまたはそれに等しい値に制約される、
請求項１１に記載の方法。
【請求項１３】
前記ビットストリーム中に少なくとも１つの非ベースレイヤがある場合、前記ＶＰＳ拡張は使用中である、請求項１１に記載の方法。
【請求項１４】
前記ＶＰＳ拡張が使用中である場合、ネガティブピクチャの数は、両端値を含む、０と前記最大復号ピクチャバッファサイズ−１との間の値に制約され、前記数のネガティブピクチャの各ネガティブピクチャは、前記現在のピクチャのＰＯＣ値よりも小さいＰＯＣ値を有する、
請求項１１に記載の方法。
【請求項１５】
前記ＶＰＳ拡張が使用中である場合、ポジティブピクチャの数は、両端値を含む、０と前記最大復号ピクチャバッファサイズ−１との間の値−ネガティブピクチャの数に制約され、前記数のポジティブピクチャは、前記現在のピクチャの前記ＰＯＣ値よりも大きいＰＯＣ値を有し、前記数のネガティブピクチャは、前記現在のピクチャのＰＯＣ値よりも小さいＰＯＣ値を有する、
請求項１１に記載の方法。
【請求項１６】
ビデオデータを復号するためのデバイスであって、
現在のピクチャと、現在のピクチャのピクチャ順序カウント（ＰＯＣ）と、１つまたは複数の参照ピクチャのためのＰＯＣ値とを記憶するように構成されたメモリと、前記ＰＯＣ値と前記現在のピクチャとはビットストリームから取得され、
前記メモリに動作可能に結合されたプロセッサと、
を備え、前記プロセッサは、
前記現在のピクチャの前記ＰＯＣ値と前記１つまたは複数の参照ピクチャの前記ＰＯＣ値とに基づいて、前記１つまたは複数の参照ピクチャを有する参照ピクチャセット（ＲＰＳ）を決定することと、
前記ＲＰＳ中の前記１つまたは複数の参照ピクチャを、いくつかの数の長期ピクチャといくつかの数の短期ピクチャとのうちの少なくとも１つとして識別することと、前記長期ピクチャの数と前記短期ピクチャの数とは制約に基づき、前記制約は、ビデオパラメータセット（ＶＰＳ）拡張が使用中である場合、前記ＰＯＣ値および最大復号ピクチャバッファサイズ−１に基づき、
前記現在のピクチャがベースレイヤ中にある場合、ネガティブピクチャの数と、ポジティブピクチャの数と、アクティブシーケンスパラメータセット（ＳＰＳ）において指定された候補長期参照ピクチャに基づいて導出される長期ピクチャの数と、前記現在のピクチャのスライスヘッダ中で直接シグナリングされる長期ピクチャの数との和は、前記アクティブＳＰＳにおいて識別される最大復号ピクチャバッファサイズ−１よりも小さいかまたはそれに等しい値に制約され、
前記ＲＰＳに基づいて前記現在のピクチャを復号することと、
を行うように構成された、デバイス。
【請求項１７】
前記ＶＰＳ拡張が使用中である場合、ネガティブピクチャの数と、ポジティブピクチャの数と、アクティブシーケンスパラメータセット（ＳＰＳ）において指定された候補長期参照ピクチャに基づいて導出される長期ピクチャの数と、前記現在のピクチャのスライスヘッダ中で直接シグナリングされる長期参照ピクチャの数との和は、最大復号ピクチャバッファサイズ−１よりも小さいかまたはそれに等しい値に制約される、
請求項１６に記載のデバイス。
【請求項１８】
前記ビットストリーム中に少なくとも１つの非ベースレイヤがある場合、前記ＶＰＳ拡張は使用中である、請求項１６に記載の方法。
【請求項１９】
前記ＶＰＳ拡張が使用中である場合、ネガティブピクチャの数は、両端値を含む、０と前記最大復号ピクチャバッファサイズ−１との間の値に制約され、前記数のネガティブピクチャの各ネガティブピクチャは、前記現在のピクチャのＰＯＣ値よりも小さいＰＯＣ値を有する、請求項１６に記載の方法。
【請求項２０】
前記ＶＰＳ拡張が使用中である場合、ポジティブピクチャの数は、両端値を含む、０と前記最大復号ピクチャバッファサイズ−１との間の値−ネガティブピクチャの数に制約され、前記数のポジティブピクチャは、前記現在のピクチャの前記ＰＯＣ値よりも大きいＰＯＣ値を有し、前記数のネガティブピクチャは、前記現在のピクチャのＰＯＣ値よりも小さいＰＯＣ値を有する、
請求項１６に記載の方法。